(57)【特許請求の範囲】
【請求項１】
情報処理装置と無線通信装置とが接続可能な通信システムにおいて、
前記情報処理装置は、
第１のアンテナを有し、
前記無線通信装置は、
第２アンテナと、
この第２アンテナに接続される無線回路と、
前記無線通信装置が前記情報処理装置に接続されることに伴ない、前記無線回路を前記第２のアンテナとの接続から前記第１のアンテナとの接続に切り替える切替え部と、
を具備することを特徴とする通信システム。
【請求項２】
前記情報処理装置は、本体部とこの本体部に対して開閉自在な蓋部とを有し、前記第１のアンテナは前記蓋部に設けられていることを特徴とする請求項１記載の通信システム。
【請求項３】
前記第１のアンテナは、前記蓋部の開放時に、前記本体から遠い側になる端部に設けられることを特徴とする請求項２記載の通信システム。
【請求項４】
第１のアンテナを備えた情報処理装置に接続可能な無線通信装置において、
第２のアンテナと、
この第２のアンテナに接続し、外部機器との間で無線通信を行うための無線回路と、
この無線回路と前記第１のアンテナと接続するための端子部と、
前記情報処理装置に接続されたことに伴ない、前記無線回路を前記第２のアンテナから切り離し、前記端子部側へ接続する切替え手段と、
を具備することを特徴とする無線通信装置。
【請求項５】
外部の小型無線受信機と接続するための接続手段と、
前記接続手段を介して前記小型無線受信機と接続されるアンテナと、
前記接続手段を介して前記小型無線受信機と接続され、前記小型無線受信機の通信状態を示す信号の入力に基づいて切替えられるスイッチと、
前記接続手段を介して前記小型無線受信機と接続され、前記小型無線受信機との接続を検出し、この検出結果及び前記スイッチの状態に基づいて、自装置の動作を停止させる制御手段と、
を具備したことを特徴とする情報処理装置。
【請求項６】
前記制御手段は、
前記小型無線受信機と接続されていることを検出している場合に、一定時間毎あるいは任意のタイミングで自装置の動作を停止させることを特徴とする請求項５記載の情報処理装置。
【請求項７】
前記制御手段は、自装置の動作を停止させる際に、前記小型無線受信機の駆動制御を行なうことを特徴とする請求項５または請求項６記載の情報処理装置。
【請求項８】
自受信機宛ての電波を受信する小型無線受信機において、
外部の情報処理装置と接続するための接続手段と、
前記接続手段を介して前記情報処理装置と接続され、前記情報処理装置との接続を検出する接続検出手段と、
前記接続検出手段によって前記情報処理装置と接続されていることを検出している場合に、自受信機宛ての電波を受信中であるか否かを示す受信状態を通知する受信通知手段と、
前記接続検出手段によって前記情報処理装置と接続されてることが検出されている場合に、自受信機内の回路に対して、自受信機に設けられたアンテナと前記接続手段を介した外部のアンテナの何れかに接続を切り替える切替え手段と、
を具備したことを特徴とする小型無線受信機。
【請求項９】
情報処理装置と小型無線受信機とを接続した機器であって、
前記情報処理装置は、
外部の小型無線受信機と接続するための受信機接続手段と、
前記接続手段を介して前記小型無線受信機と接続されるアンテナと、
前記接続手段を介して前記小型無線受信機と接続され、前記小型無線受信機の通信状態を示す信号の入力に基づいて切替えられるスイッチと、
前記接続手段を介して前記小型無線受信機と接続され、前記小型無線受信機との接続を検出し、この検出結果及び前記スイッチの状態に基づいて、自装置の動作を停止させる制御手段と、
を具備し、
前記小型無線受信機は、
外部の情報処理装置と接続するための装置接続手段と、
前記接続手段を介して前記情報処理装置と接続され、前記情報処理装置との接続を検出する接続検出手段と、
前記接続検出手段によって前記情報処理装置と接続されていることを検出している場合に、自受信機宛ての電波を受信中であるか否かを示す受信状態を通知する受信通知手段と、
前記接続検出手段によって前記情報処理装置と接続されてることが検出されている場合に、自受信機内の回路に対して、自受信機に設けられたアンテナと前記接続手段を介した外部のアンテナの何れかに接続を切り替える切替え手段と、
を具備し、
前記情報処理装置と前記小型無線受信機とを共存させて使用できることを特徴とする情報処理装置と小型無線受信機とを接続した機器。
【発明の詳細な説明】
【０００１】
【産業上の利用分野】
本発明は、ページャを通信可能とする情報処理装置と小型無線受信機（ページャ）を接続した機器に関する。
【０００２】
【従来の技術】
近年では、ページャと呼ばれる小型無線受信機が広く用いられ始めている。ページャは、特定の電話番号が決められており、外出あるいは離席中の人に携帯される。ページャを携帯した人に用事がある時には、一般の電話から電話番号にダイヤルすると、ベル音、振動等によって連絡の必要が生じたことを知らせるものである。また、近年では、単に呼び出しをするだけでなく、簡単なメッセージを送信することも可能となっている。
【０００３】
ページャは、２８０ＭＨｚ帯の周波数を用いて基地局から電波が送られており、ユーザが基地局から電波の届く範囲にいれば呼び出しがあることを通知することができる。
【０００４】
ところで、近年では、パーソナルコンピュータ等の情報処理装置の分野では、軽量化かつ小型化を進めながら、十分な機能を有する携帯型の情報処理装置（例えばサブノートと称される）が出てくるようになってきている。これにより、ユーザは、情報処理装置を外出中に携帯することが容易となり、外出先等でも使用して、情報処理を行なうことが可能となる。
【０００５】
【発明が解決しようとする課題】
このようなページャと情報処理装置を用いて、例えば本部と連絡を取りながらの営業や、外出先で携帯型の情報処理装置で情報処理を行ないながら事務所と連絡をとる必要がある業務などを行なう場合、連絡を取るためにページャを用い、一方で情報処理装置を使用することは、従来では不都合があった。
【０００６】
すなわち、情報処理装置を使用する場合には、一般に電源部やその他の回路部から電波が発生し、ページャが用いる通信帯（２８０ＭＨｚ帯）の電波に影響を与え、受信状態が悪化し、通信できなくなる場合があった。
【０００７】
また、ページャは、十分な性能をもつアンテナを設けるのではなく、小型化を優先して人体をアンテナ替わりにしている。このため、ページャを情報処理装置と同時に使用すると、特に受信状態が悪化し、通信不能となることが多かった。従って、ページャと情報処理装置とを接続した機器構成（ページャが人体から離れた状態）では、ページャを使用することはできなかった。
【０００８】
本発明は前記のような事情を考慮してなされたもので、小型無線受信機（ページャ）と情報処理装置とを共存させて使用できる機器を提供することを目的とする。
【０００９】
【課題を解決するための手段】
本発明は、情報処理装置と無線通信装置とが接続可能な通信システムにおいて、前記情報処理装置は、第１のアンテナを有し、前記無線通信装置は、第２アンテナと、この第２アンテナに接続される無線回路と、前記無線通信装置が前記情報処理装置に接続されることに伴ない、前記無線回路を前記第２のアンテナとの接続から前記第１のアンテナとの接続に切り替える切替え部とを具備することを特徴とする。
【００１３】
【作用】
このような構成によれば、情報処理装置と小型無線受信機（ページャ）が接続された機器構成の場合、小型無線受信機が情報処理装置に設けられたアンテナを用いて電波の受信がなされる。また、小型無線受信機が通信中となった場合、あるいは通信中に動作を実行させようとする場合に、情報処理装置が動作しないようにすることで、小型無線受信機の受信に影響を与える電波の発生が抑えられる。
【００１４】
また、情報処理装置と小型無線受信機を共存させて使用する場合に、情報処理装置を一定時間毎あるいは任意のタイミングで停止させることで、この間に小型無線受信機による受信が可能となる。
【００１５】
この際、小型無線受信機は、情報処理装置により駆動制御、すなわちオン／オフの切替えがされることで、通常は待機状態にあって必要な時に直ちに受信可能状態にすることができる。
【００１６】
また、小型無線受信機は、情報処理装置と接続状態にある場合には、外部にあるアンテナ（自機器に設けられたアンテナより性能の良い）、例えば情報処理装置に備えられたアンテナを用いて電波の受信が実行される。また、受信中であることを外部に通知することにより、情報処理装置の動作を停止させて、受信状態を悪化させることを防ぐことができる。
【００１７】
【実施例】
以下、図面を参照して本発明の一実施例を説明する。図１は本発明の一実施例に係わる通信機器、すなわち情報処理装置とページャ（小型無線受信機）とを接続した機器の構成を示す外観図である。図１（ａ）はページャを情報処理装置に接続した状態、図１（ｂ）はページャを接続しない情報処理装置を示す図である。
【００１８】
図１（ａ）に示すように、情報処理装置１０とページャ１２は、ケーブル１４を介して接続される。情報処理装置１０は、図１（ａ）（ｂ）に示すように、ページャ１２を接続した際に用いられるアンテナ１５が設けられている。図１に示す情報処理装置は、ラップトップ型あるいはノートブック型と称される形態であり、キーボード１０ａが収納された本体部１０ｂの端部近傍に、本体部上面に重ねた状態から所定の角度まで開閉自在となるように取り付けられたディスプレイ１０ｃ（ＬＣＤ）を収納する蓋部１０ｄが設けられている。
【００１９】
アンテナ１５は、使用しない際には、蓋部１０ｄの側端に設けられたアンテナ収納部１６に収納されている。アンテナ１５は、使用する場合には、図１（ａ）のようにアンテナ収納部１６から外部に露出される。アンテナ収納部１６は、妨害波を受けないようにシールドされている。
【００２０】
ケーブル１４は、図２（ａ）に示すように、両端に６ピンのＤＩＮ型コネクタが設けられた端子部１４ａが設けられている。端子部１４ａのピン配置は、図２（ｂ）に示すようになっている。例えばピンａはページャ１２が受信中であることを示す信号用であり、同様にして、ピンｂはページャ１２のアンテナ線用であり、ピンｃはページャ１２のアンテナ線に対するＧＮＤ用のピンであり、ピンｄはページャ１２の駆動制御用であり、ピンｅは将来の機能拡張用であり、ピンｆはページャ１４と情報処理装置１０が接続されていることを示す信号用であり、ピンｇはグランド端子用である。
【００２１】
ケーブル１４は、情報処理装置１０、ページャ１４のそれぞれに設けられたケーブル端子に端子部１４ａを結合させることにより、情報処理装置１０とページャ１４とを物理的に接続する。
【００２２】
図３はページャ１２の概略構成を示すブロック図である。図３に示すように、ページャ１２は、アンテナ２０、アンテナ切替部２１、無線回路２２、復調回路２３、マイコン２４、スイッチ２５、音出力部２６、表示駆動部２７、及びＬＣＤ（ディスプレイ）２８によって構成されている。
【００２３】
アンテナ２０は、ページャ１２を単独で使用する際に用いられるものである。アンテナ切替部２１は、マイコン２４による制御に応じて、無線部２２とアンテナ２０あるいは信号線ｂとの接続を切り替えるものである。信号線ｂは、ケーブル１４を介して情報処理装置１０に設けられたアンテナ１５と接続される。
【００２４】
無線回路２２は、アンテナ２２あるいはアンテナ１５を介して受信した電波を入力し、信号の増幅やフィルタリング等の処理を施して検波を行なうものである。
【００２５】
復調回路２３は、無線回路２２によって入力された信号に対して復調を行ない、自ページャ１２に対する信号を検出してマイコン２４に通知するものである。マイコン２４は、ページャ１２全体を制御すると共に、情報処理装置１０と接続された際に、情報処理装置１０との間で制御信号等の入出力を行なうものである。本実施例において、マイコン２４は、アンテナ切替部２１に対する切り替えを制御するアンテナ切替機能２４ａ、情報処理装置１０に対して自ページャ１２に対する電波の受信中であることを通知する受信通知機能２４ｂ、ケーブル１４を介して情報処理装置１０と接続されたことを検出する接続検知機能２４ｃ、及びページャ１２の駆動制御をする駆動制御機能２４ｄを有している。
【００２６】
アンテナ切替機能２４ａは、ページャ１２を単独で用いる場合には、アンテナ２０と無線回路２２とを接続させ、接続検出機能２４ｃによって情報処理装置１０との接続が検出されている場合には、無線回路２２と信号線ｂ（情報処理装置１０のアンテナ１５）と接続させるように切替を制御する。
【００２７】
受信通知機能２４ｂは、信号線ａによって情報処理装置１０に通知を行なう。また、接続検出機能２４ｃは、信号線ｆを監視し、信号の変化によって、ケーブル１４を介した情報処理装置１０との接続を検知する。
【００２８】
接続検出機能２４ｃは、情報処理装置１０（一時停止状態であっても良い）とページャ１２の電源がオンされた状態であれば、機能がオンされた状態になくても接続検出を行なうことができる。
【００２９】
駆動制御機能２４ｄは、信号線ｃを介した情報処理装置１０からの指示に応じてページャ１２の機能をオン／オフする制御を行なう。
なお、ページャ１２は、電源（図示せず）がオンされた状態で、さらに機能のオン（受信可能状態）／オフできる動作モードを有している。
【００３０】
スイッチ２５は、ページャ１２の起動用のスイッチであり、オン側に切替操作されるとマイコン２４に通知する。
音出力部２６は、マイコン２４によって制御され、自ページャ１２に対する電波の受信や、その他の動作の状況等を、使用者に対してベル音等によって通知するものである。
【００３１】
表示駆動部２７は、マイコン２４によって制御され、ＬＣＤ２８に文字等を表示させるものである。ＬＣＤ２８は、表示駆動部２７によって表示駆動され、受信電波に含まれる情報に基づいて、使用者に対するメッセージ等を表示する。
【００３２】
図４は本実施例に関係する情報処理装置１０の部分的な構成を示す図である。本実施例では、ページャ１２が受信中の場合に、情報処理装置１０が動作しないように電源部を含む、装置の駆動制御を行なうための機能を設けたものである。
【００３３】
図４に示すように、情報処理装置１０は、電気スイッチ３０、手動スイッチ３１、電源マイコン３２、電源部３３、及びメイン回路３４を有している。
電気スイッチ３０は、信号線ａと接続され、信号線ａがアクティブ、すなわちページャ１２から通信中であることが通知されている場合にはオフとなり、アクティブでない場合にはオンとなる機能を有している。
【００３４】
手動スイッチ３１は、情報処理装置１０に設けられた通常の電源スイッチであり、電気スイッチ３０と直列に接続されている。
電源マイコン３２は、手動スイッチ３１と接続され、手動スイッチ３１、電気スイッチ３０が共にオン（ページャ１２が受信中ではない）である場合に動作する。また、電源マイコン３２は、信号線ｆと接続されており、信号線ｆを監視し信号の変化によって、ケーブル１４を介したページャ１２との接続を検知する。電源マイコン３２は、信号線ｆ及び各スイッチ（信号線ａ）の状態に基づいて、情報処理装置１０の動作を停止させる必要がある場合には、メイン回路３４に通知すると共に電源部３３からの各部への電力供給を停止させる。
【００３５】
電源部３３は、電源マイコン３２によって制御され、装置内部に設けられたバッテリや外部からの電力を各部に供給するためのものである。
メイン回路３４は、情報処理装置１０の主要な構成部分であり、ＣＰＵ、各種メモリ、バス、Ｉ／Ｏインタフェース、外部記憶装置等の構成を含んでいる。メイン回路３４は、情報処理装置１０の動作を停止させる際に、停止時の状態から再起動するための機能（レジューム機能等）を有している。メイン回路３４は、電源マイコン３２からの動作停止の通知があった場合、あるいはキーボード等の入力装置を用いた使用者からの特定の指示に応じて（詳細については後述する）、システムの状態を保存して情報処理装置１０の動作を停止させる。
【００３６】
次に、本実施例の動作について説明する。
まず、情報処理装置１０が動作中の場合について、図５に示すフローチャートを参照しながら説明する。ここでは、図１（ａ）に示すように、情報処理装置１０とページャ１２とがケーブル１４を介して接続されているものとする。ただし、ページャ１２の機能はオフ状態にある。従って、信号線ａ，ｂ，ｃ，ｆの信号によって情報処理装置１０は何等影響されない。
【００３７】
情報処理装置１０は、アプリケーション等の通常処理を実行する（ステップＳ１）。
情報処理装置１０は、通常処理の実行中に、予め設定された一定時間が経過したか、あるいは使用者によりページャ１２の使用が可能な状態に移行することが指示されたかを判別している（ステップＳ２）。
【００３８】
メイン回路３４は、ステップＳ２において条件が一致したものと判別すると、実行中であった処理を一時停止させるためにシステムの状態を保存すると共に、電源マイコン３２に動作停止、すなわち情報処理装置１０の駆動周波数を「０」にする指示を出力する（ステップＳ３）。
【００３９】
電源マイコン３２は、メイン回路３４からの指示に応じて電源部３３をオフすると共に（ステップＳ４）、信号線ｃを介してページャ１２に対して機能を起動させる指示を出力する。これで情報処理装置１０は、動作が停止されて、ページャ１２による電波の受信が良好な状態となる。
【００４０】
一方、ページャ１２は、情報処理装置１０（電源マイコン３２）から、機能をオンする指示が入力されると、マイコン２４の駆動制御機能２４ｄによって機能をオンさせる（ステップＳ５）。
【００４１】
ここでは、接続検出機能２４ｃは、情報処理装置１０との接続を検出しており、それに伴ってアンテナ切替機能２４ａは、無線回路２２と信号線ｂとを接続するようにアンテナ切替部２１を制御している。すなわち、情報処理装置１０に設けられたアンテナ１５を用いることにより、安定した電波の受信が可能となる。
【００４２】
ページャ１２は、機能がオンされると、予め設定された一定時間、自ページャ１２に対する電波の受信があるか判別している（ステップＳ６，Ｓ７）。
ここで、無線回路２２、復調回路２３、及びマイコン２４の各機能により、自ページャ１２に対する受信があった場合、受信通知機能２４ｂは、信号線ａを介して受信があったことを情報処理装置１０に通知する（ステップＳ８）。これにより、情報処理装置１０では再起動させることができなくなる。
【００４３】
受信が終了したならば（ステップＳ９）、同様に信号線ａを介して通信状態ではないことを情報処理装置１０に通知する（ステップＳ１０）。
こうして、受信があって正常に受信が完了した場合、あるいは一定時間中に受信がなかった場合、ページャ１２は、マイコン２４の駆動制御機能２４ｄによって機能をオフさせる（ステップＳ１１）。
【００４４】
また、マイコン２４は、情報処理装置１０の電源マイコン３２に通信状態の終了を通知する。電源マイコン３２は、電源部３３をオンさせて（駆動周波数をもとに戻し）、保存しておいてシステムの状態を戻して再起動させる（ステップＳ１２）。
【００４５】
こうして、情報処理装置１０の動作中には、一定時間毎あるいは使用者からの指示によって情報処理装置１０の動作を一時停止させると共に、ページャ１２の機能をオンして受信動作を実行することができる。
【００４６】
次に、情報処理装置１０が停止されている間に、ページャ１２の機能をオンさせて受信動作を実行している場合について説明する。
ページャ１２が通信状態にある場合には、前述の説明と同様に、受信通知機能２４ｂにより信号線ａがアクティブとなっている。情報処理装置１０の電源マイコン３２は、手動スイッチ３１がオンされても、電源部３３から各部に対する電力の供給を行なわないように制御する。これにより、ページャ１２の通信を妨害することがない。
【００４７】
このようにして、情報処理装置１０とページャ１２とを同時に使用するような状況であっても、情報処理装置１０がページャ１２による通信動作に影響を与えることがない。
【００４８】
また、情報処理装置１０にページャ１２を接続して使用することができ、この際、情報処理装置１０の動作中に一定時間毎に、一時システムを停止させてページャ１２による通信を可能な状態にすることができるので、情報処理装置１０とページャ１２とを共存させることができる。
【００４９】
また、一定時間毎ではなく、情報処理装置１０の使用者がページャ１２によって通信したい場合には、情報処理装置１０のキーボード等を用いて任意に指示することにより、同様にして情報処理装置１０の動作を一時停止させて、ページャ１２による通信を可能な状態にすることができる。
【００５０】
また、ページャ１２を情報処理装置１０に接続して使用する際には、情報処理装置１０に設けられたアンテナ１５と接続され、このアンテナ１５を用いた電波の受信が行なわれるので、ページャ１２による通信状態が良好となる。
【００５１】
また、ページャ１２が通信状態にある場合には、情報処理装置１０の手動スイッチ３１をオンにさせても、システムが起動されないように（電源部３３の動作停止）して、ページャ１２に対する通信に影響を与えないようにすることができる。
【００５２】
なお、前記実施例においては、ページャ１２を情報処理装置１０に接続して使用する際に用いるアンテナ１５を、図１（ａ）に示すような構造としたが、アンテナ１５の形状はどのようにしても良い。例えば情報処理装置１０の本体部１０ｂの外周部、蓋部１０ｄの周縁部に沿ってアンテナを埋設した形状であっても良い。
【００５３】
また、情報処理装置１０とページャ１２を接続するためのケーブル１４についても前記実施例の場合に限定されるものではない。すなわち、情報処理装置１０とページャ１２にケーブル１４を接続するための専用のケーブル端子を設ける構成としているが、一般的に設けられている通信用端子、例えばＲＳ−２３２Ｃを利用することも可能である。
【００５４】
【発明の効果】
以上詳述したように本発明によれば、情報処理装置の動作を停止させて、小型無線受信機による受信が実行されるので、小型無線受信機（ページャ）と情報処理装置とを共存させて使用できるものである。
【図面の簡単な説明】
【図１】本発明の一実施例に係わる通信機器（情報処理装置とページャとを接続した機器）の構成を示す外観図。
【図２】本実施例におけるケーブル１４に設けられた端子部１４ａの詳細を示す図。
【図３】本実施例におけるページャ１２の概略構成を示すブロック図。
【図４】本実施例における情報処理装置１０の概略構成を示す図。
【図５】本実施例における情報処理装置１０とページャ１２とを接続した機器の動作を説明するためのフローチャート。
【符号の説明】
１０…情報処理装置、１２…ページャ、１４…ケーブル、１５…アンテナ、１６…アンテナ収納部、２０…アンテナ、２１…アンテナ切替部、２２…無線回路、２３…復調回路、２４…マイコン、２４ａ…アンテナ切替機能、２４ｂ…受信通知機能、２４ｃ…接続検知機能、２４ｄ…駆動制御機能、２５…スイッチ、２６…音出力部、２７…表示駆動部、２８…ＬＣＤ（ディスプレイ）、３０…電気スイッチ、３１…手動スイッチ、３２…電源マイコン、３３…電源部、３４…メイン回路。
【図１】
0003547801.tif 000002
【図２】
0003547801.tif 000003
【図３】
0003547801.tif 000004
【図４】
0003547801.tif 000005
【図５】
0003547801.tif 000006